(57)【特許請求の範囲】
【請求項１】
装置本体の前部に設けられて、弁機構部を開放状態とすることによって飲料を注出する注出コックと、
前記装置本体の前部に設けられて、前記注出コックの弁機構部を開閉操作させるコック操作装置と、
前記コック操作装置の作動を制御することにより前記注出コックの弁機構部を開放させて、前記注出コックから容器に所定量の飲料を注出させる制御装置と、
前記装置本体の前部に設けられて、前記制御装置に前記コック操作装置を作動させる注出信号を出力して、前記注出コックから容器に所定量の飲料を自動注出させる自動注出操作ボタンを有した操作パネルとを備えた飲料自動注出装置であって、
前記操作パネルには前記自動注出操作ボタンと同一操作面上に前記注出コックから前記容器に飲料を注出するときの注出条件を設定する注出条件設定ボタンと、操作に応じた量で前記注出コックから前記容器に飲料を注出させる非自動注出操作ボタンとの少なくとも１つをさらに有し、前記操作パネルの前記同一操作面上には、前記自動注出操作ボタンを操作不能な状態で覆い隠すことなく、前記注出条件設定ボタンと前記非自動注出操作ボタンとの少なくとも１つを操作不能な状態で覆い隠すカバーを着脱可能または開閉可能に設けたことを特徴とする飲料自動注出装置。
【請求項２】
請求項１に記載の飲料自動注出装置において、
前記操作パネルには前記注出条件設定ボタンによる注出条件を表示する表示部を設けて、この表示部を前記カバーにより覆われる位置に配置したことを特徴とする飲料自動注出装置。
【請求項３】
請求項２に記載の飲料自動注出装置において、
前記操作パネルには前記表示部を前記注出条件設定ボタンより上側に配置したことを特徴とする飲料自動注出装置。
【発明の詳細な説明】
【技術分野】
【０００１】
本発明は、生ビール等の飲料を自動注出する飲料自動注出装置に関する。
【背景技術】
【０００２】
特許文献１には生ビール等の飲料を注出する飲料自動注出装置が開示されている。飲料自動注出装置は、装置本体の前部に設けられて、操作レバーを傾動させることで弁機構部を開放状態として飲料を注出する注出コックと、装置本体の前部に設けられて注出コックの操作レバーを傾動させることで弁機構部を開閉させるコック駆動装置とを備えている。また、飲料自動注出装置は、コック駆動装置の作動を制御して操作レバーを一定時間傾動させることで、注出コックの弁機構部を一定時間開放させて、注出コックからグラス等の容器に所定量の飲料を注出させる制御装置と、制御装置にコック駆動装置を作動させる自動注出信号を出力して、注出コックから容器に所定量の飲料を自動注出させる自動注出操作ボタンを有した操作パネルとを備えている。この飲料自動注出装置では、操作パネルの自動注出操作ボタンをオン操作すると、コック駆動装置が容器の容量に応じた時間で操作レバーを中立位置から傾動させ、注出コックから容器に応じた量の飲料が注出される。
【先行技術文献】
【特許文献】
【０００３】
【特許文献１】特開２００１−２４７１９３号公報
【発明の概要】
【発明が解決しようとする課題】
【０００４】
上記のような特許文献１に記載の飲料自動注出装置は、操作パネルに自動注出操作ボタン以外に、注出停止ボタン、注出条件設定ボタン及びマニュアル（非自動）注出操作ボタンとを備えている。自動注出操作ボタンをオン操作すると、コック駆動装置が容器の容量に応じた時間で操作レバーを中立位置から傾動させ、注出コックから容器に応じた量の飲料が自動注出される。自動注出操作ボタンをオン操作して、注出コックから容器に飲料を自動注出しているときに、注出停止ボタンをオン操作すると、コック駆動装置が操作レバーを傾動させた位置から中立位置に戻し、注出コックから飲料の自動注出を停止させる。
【０００５】
注出条件設定ボタンは、飲料自動注出装置を飲食店等に設置したときに、飲食店等で使用されるグラスやジョッキ等の容器の容量に応じた時間で操作レバーを傾動させるように設定する操作ボタンである。飲料自動注出装置を飲食店等に設置した後では、グラスやジョッキ等の容器の容量が変わらない限り、注出条件設定ボタンは使用されないものである。また、マニュアル（非自動）注出操作ボタンは、オン操作している時間だけ、コック駆動装置により操作レバーを傾動させて、注出コックから飲料を注出させるものである。自動注出操作ボタンを適切に使用している限り、このマニュアル（非自動）注出操作ボタンは使用する必要のない操作ボタンである。
【０００６】
このため、飲食店の客に飲料を提供する通常の使用時には、飲食店の店員等のオペレータは、飲料を自動注出させるために自動注出操作ボタンをオン操作するか、誤って自動注出されている飲料の注出を停止させるために注出停止ボタンをオン操作するだけであり、注出条件設定ボタン及びマニュアル（非自動）注出操作ボタンをオン操作する必要がなかった。操作パネルに通常使用しない多数の操作ボタンが操作可能な状態で見えていると、オペレータが誤操作する可能性があって使いにくい問題があった。本発明は、飲料自動注出装置の操作パネルを使用しやすいようにすることを目的とする。
【課題を解決するための手段】
【０００７】
本発明は上記課題を解決するため、装置本体の前部に設けられて、弁機構部を開放状態とすることによって飲料を注出する注出コックと、装置本体の前部に設けられて注出コックの弁機構部を開閉操作させるコック操作装置と、コック操作装置の作動を制御することにより注出コックの弁機構部を開放させて、注出コックから容器に所定量の飲料を注出させる制御装置と、装置本体の前部に設けられて、制御装置にコック操作装置を作動させる注出信号を出力して、注出コックから容器に所定量の飲料を自動注出させる自動注出操作ボタンを有した操作パネルとを備えた飲料自動注出装置であって、操作パネルには自動注出操作ボタンと同一操作面上に注出コックから容器に飲料を注出するときの注出条件を設定する注出条件設定ボタンと、操作に応じた量で注出コックから容器に飲料を注出させる非自動注出操作ボタンとの少なくとも１つをさらに有し、操作パネルの同一操作面上には自動注出操作ボタンを操作不能な状態で覆い隠すことなく、注出条件設定ボタンと非自動注出操作ボタンとの少なくとも１つを操作不能な状態で覆い隠すカバーを着脱可能または開閉可能に設けたことを特徴とする飲料自動注出装置を提供するものである。
【０００８】
上記のように構成した飲料自動注出装置においては、操作パネルには自動注出操作ボタンと同一操作面上に注出コックから容器に飲料を注出するときの注出条件を設定する注出条件設定ボタンと、操作に応じた量で注出コックから容器に飲料を注出させる非自動注出操作ボタンとの少なくとも１つをさらに有し、操作パネルの同一操作面上には自動注出操作ボタンを操作不能な状態で覆い隠すことなく、注出条件設定ボタンと非自動注出操作ボタンとの少なくとも１つを操作不能な状態で覆い隠すカバーを着脱可能または開閉可能に設けた。飲食店の客に飲料を提供する通常の使用時には、飲食店の店員等のオペレータはカバーを取り外したり開放することなく自動注出操作ボタンをオン操作することができ、操作パネルにカバーを設けても、操作パネルの操作性が低下することがない。また、飲食店の客に飲料を提供する通常の使用時以外に使用する、注出条件を設定する注出条件設定ボタンと、操作に応じた量で飲料を注出させる非自動注出操作ボタンとの少なくとも１つが着脱可能または開閉可能なカバーにより覆い隠されているので、オペレータが自動注出操作ボタン以外の操作ボタンを誤操作する可能性を低くすることができた。
【０００９】
上記のように構成した飲料自動注出装置においては、操作パネルには注出条件設定ボタンによる注出条件を表示する表示部を設けて、この表示部をカバーにより覆われる位置に配置するのが好ましい。また、この場合には、操作パネルには表示部を注出条件設定ボタンより上側に配置するのが好ましく、このようにしたときには、注出条件設定ボタンを手指によりオン操作して注出条件を入力しているときに、表示部が操作してる手によって隠れないようになり、表示部で確認しながら注出条件の入力をすることができるようになった。
【図面の簡単な説明】
【００１０】
【図１】本発明による飲料自動注出装置の一実施形態の斜視図である。
【図２】図１の縦方向断面図である。
【図３】図１の正面図であり、左側の操作パネルのカバーが閉じられ、右側の操作パネルのカバーが開放された正面図である。
【発明を実施するための形態】
【００１１】
以下に、本発明による飲料自動注出装置の一実施形態を図面を参照して説明する。本発明の飲料自動注出装置１０は注出コック２０からグラスやジョッキ（容器）にビール（飲料）を自動注出するものであり、特に、グラスやジョッキ内でビールが過剰に泡立つのを防ぐように注出するものである。この実施形態の飲料自動注出装置１０は、注出コック２０、コック駆動装置２４、容器受台装置３０及び受台傾動装置４０を含む自動注出ユニットを左右に２つ備えており、自動注出ユニットは左右同一のものであるので以後の説明では一方のみを説明する。
【００１２】
図１〜図３に示したように、本発明の飲料自動注出装置１０は、装置本体１１の前部に設けられて、弁機構部２１ａを開放状態とすることによって飲料を注出する注出コック２０と、装置本体１１の前部に設けられて注出コック２０の弁機構部２１ａを開閉操作させるコック駆動装置（コック操作装置）２４と、コック駆動装置２４の作動を制御することで注出コック２０の弁機構部２１ａを開放させて注出コック２０からグラスやジョッキに所定量のビールを注出させる制御装置５０と、装置本体１１の前部に設けられて制御装置５０にコック駆動装置２４を作動させる注出信号を出力して注出コック２０からグラスに所定量のビールを自動注出させる自動注出操作ボタン６１を有した操作パネル６０とを備えている。
【００１３】
この飲料自動注出装置１０においては、操作パネル６０には注出コック２０からグラスに飲料を注出するときの注出条件を設定する注出条件設定ボタン６３，６４と、操作に応じた量で注出コック２０からグラスに飲料を注出させる非自動注出操作ボタン６５，６６との少なくとも一方を有し、操作パネル６０には注出条件設定ボタン６３，６４と非自動注出操作ボタン６５，６６との少なくとも一方を操作不能な状態で覆い隠すカバー６８を開閉可能に設けた。以下に、この飲料自動注出装置１０について詳述する。
【００１４】
図２に示したように、飲料自動注出装置１０は、装置本体１１内に冷却水槽１２と、この冷却水槽１２内の冷却水を冷却する冷凍装置１３とを内蔵している。冷却水槽１２内には飲料冷却管１４が設けられており、飲料冷却管１４の導入端部には装置本体１１の外部に設けたビア樽が接続され、飲料冷却管１４の導出端部１４ａには装置本体１１の上部に設けた注出コック２０が接続されている。なお、ビア樽にはガスボンベ（図示しない）が接続されており、ビア樽のビールはガスボンベの炭酸ガスの圧力によって飲料冷却管１４に送られるようになっている。
【００１５】
図１及び図２に示したように、注出コック２０は、グラスにビールを注出するものであり、弁機構部２１ａを内蔵した筒状の本体部２１の上部に操作レバー２２と、下部に注出ノズル２３（２３ａ，２３ｂ）とを備えている。本体部２１の弁機構部２１ａは開放状態とすることによって注出ノズル２３にビールを導くものである。また、弁機構部２１ａは、液用開放状態とすることで液用の注出ノズル２３ｂに液状態のビールを導き、泡用開放状態とすることで泡用の注出ノズル２３ａに泡状態のビールを導くようになっている。操作レバー２２は弁機構部２１ａを閉止状態と開放状態との開閉操作を行うためのものである。操作レバー２２は、垂直に起立した中立位置にあるときには弁機構部２１ａを閉止状態とし、前方に傾動（前傾）させると弁機構部２１ａを液用開放状態とし、後方に傾動（後傾）させると弁機構部２１ａを泡用開放状態とする。注出ノズル２３は弁機構部２１ａを通過したビールをグラスに注出するものであり、本体部２１の下部の前部にビールを泡状態で注出する泡用の注出ノズル２３ａと、本体部２１の下部の後部にビールを液状態で注出する液用の注出ノズル２３ｂとを備えている。
【００１６】
図１及び図２に示したように、コック駆動装置（コック操作装置）２４は注出コック２０の弁機構部２１ａを開閉操作させるためのものである。この実施形態のコック駆動装置２４は、サーボモータ２５の駆動によりスライダ２６を前後させ、前後に移動するスライダ２６によって注出コック２０の操作レバー２２を前傾または後傾させ、注出コック２０の弁機構部２１ａを開閉操作するものである。
【００１７】
図１及び図２に示したように、装置本体１１の前部にはグラスを載置する容器受台装置３０が設けられている。この実施形態の容器受台装置３０は、注出コック２０から注出されるビールをグラス内にできるだけ泡立つことのないように注出することを目的としたものであり、グラスを前後方向に傾斜させることを可能としたものである。容器受台装置３０は、その上端部が装置本体１１の前面に水平軸線回りに傾動可能に軸架された傾動基板３１と、傾動基板３１に取り付けた受台３２（３２ａ，３２ｂ）とを備えている。傾動基板３１は後面が押動されると下端部が斜め前方に押し上げられて傾動する。受台３２は傾動基板３１の上下方向の中間部と下部とに上下２段に取り付けた受台３２ａ，３２ｂとからなる。上段の受台３２ａは主としてグラス等の小型の容器を載置するものであり、下段の受台３２ｂは主としてグラスよりも容量の多いジョッキ等の大型の容器を載置するものである。
【００１８】
上段の受台３２ａは傾動基板３１に対して水平軸線回りに回動可能に支持されており、下段の受台３２ｂに容器を載置するときには、上段の受台３２ａを前方に突出した使用位置から傾動基板３１に沿う退避位置まで退避させる。装置本体１１の前部には上段または下段の受台３２ａ，３２ｂが使用状態であることを検知する検知器３３が設けられており、検知器３３はこの実施形態ではリードスイッチ等の近接スイッチを用いている。上段の受台３２ａの側部には検知器３３より検知される被検知部材として磁石３４が設けられており、磁石３４は上段の受台３２ａが退避位置に退避したときに検知器３３に近接するようになっている。具体的には、グラスを載置するときのように、上段の受台３２ａが傾動基板３１から前方に突出した使用位置にあるときには、磁石３４は検知器３３から離間しており、検知器３３は磁石３４が離間していることでオフ信号を出力し、上段の受台３２ａが使用状態であることを検知する。これに対し、下段の受台３２ｂにジョッキを載置するときのように、上段の受台３２ａが傾動基板３１に沿う退避位置にあるときには、磁石３４は検知器３３に近接しており、検知器３３は磁石３４が近接していることでオン信号を出力し、下段の受台３２ｂが使用状態であることを検知する。
【００１９】
図１及び図２に示したように、受台傾動装置４０は、傾動基板３１を起立姿勢から傾斜した傾斜姿勢に傾動させ、傾斜姿勢から起立姿勢に復帰させるものである。受台傾動装置４０は、サーボモータ４１と、サーボモータ４１の駆動によって前後に伸縮するアーム４２とを有している。受台傾動装置４０は、サーボモータ４１によりアーム４２を前方に伸ばして、容器受台装置３０の傾動基板３１を前方に押し出して起立姿勢から傾斜姿勢に傾動させる。受台傾動装置４０は、サーボモータ４１によりアーム４２を後方に縮めて容器受台装置３０の傾動基板３１を後方に戻して、容器受台装置３０の傾動基板３１を傾斜姿勢から起立姿勢に復帰させる。
【００２０】
図２に示したように、飲料自動注出装置１０は、グラス等の容器にビールを注出するのを制御する制御装置５０を備えており、制御装置５０は、コック駆動装置２４（特にサーボモータ２５）、検知器３３及び受台傾動装置４０（特にサーボモータ４１）に接続されている（図２では接続関係についての記載を省略している）。制御装置５０は内蔵するマイクロコンピュータによりメモリに記憶させた自動注出プログラムを実行すると、コック駆動装置２４の作動を制御して操作レバー２２を一定時間傾動させることで弁機構部２１ａを開放させて、注出コック２０の注出ノズル２３からグラスに所定量のビールを注出させる。また、この実施形態では、ビールを注出させるのに対応して、受台傾動装置４０の作動を制御して、容器受台装置３０の傾動基板３１及び受台３２に載置したグラスの姿勢を制御している。
【００２１】
図１及び図３に示したように、装置本体１１の前部には飲料自動注出装置１０の操作をするための操作パネル６０が設けられている。この実施形態では、操作パネル６０は装置本体１１の前部に設けたコック駆動装置２４の筐体前面に取り付けられている。操作パネル６０には、各種操作ボタンとして、自動注出操作ボタン６１と、注出停止ボタン６２と、切替ボタン（注出条件設定ボタン）６３と、設定ボタン（注出条件設定ボタン）６４と、泡注出ボタン（非自動注出操作ボタン）６５と、液注出ボタン（非自動注出操作ボタン）６６と、注出条件等を表示する表示部６７とが設けられている。自動注出操作ボタン６１と注出停止ボタン６２とは操作パネル６０の下部に配置され、切替ボタン６３と、設定ボタン６４と、泡注出ボタン６５と、液注出ボタン６６とが操作パネル６０の上下方向の中間部に配置され、表示部６７が操作パネル６０の上部に配置されている。
【００２２】
自動注出操作ボタン６１は、グラス等の容器にビールを自動注出するための操作ボタンである。注出停止ボタン６２は、自動注出操作ボタン６１によるビールの自動注出を停止させる操作ボタンである。切替ボタン６３と設定ボタン６４は、ビールの自動注出をするための注出条件を設定するための操作ボタンである。泡注出ボタン６５は操作に応じた量の泡状態のビールを注出させる操作ボタンであり、また、注出条件設定モードで泡状態のビールを注出する条件を設定するときにも用いられる操作ボタンである。液注出ボタン６６は操作に応じた量の液状態のビールを注出させる操作ボタンであり、また、注出条件設定モードで液状態のビールを注出する条件を設定するときにも用いられる操作ボタンである。表示部６７は、７セグにより切替ボタン６３と設定ボタン６４等により設定した注出条件等を表示するものであり、注出回数、注出量等も表示可能としたものである。
【００２３】
操作パネル６０にはカバー６８が開閉自在に設けられており、カバー６８は操作パネル６０の上端部に水平軸線回りに回動可能に取り付けられている。カバー６８を閉じた状態とすると、操作パネル６０の下部の自動注出操作ボタン６１と注出停止ボタン６２以外の操作ボタン６３〜６６が覆い隠されて操作不能な状態となるとともに、表示部６７も覆い隠された状態となっている。カバー６８を上側に回動させて開いた状態とすると、全ての操作ボタン６１〜６６が操作可能か状態となるとともに、表示部６７も視認可能な状態となる。
【００２４】
上記のように構成した飲料自動注出装置１０の自動注出プログラムの作動について説明する。装置本体１１内の冷却水槽１２内の冷却水は冷凍装置１３により冷却されている。また、通常時は、操作パネル６０はカバー６８により操作ボタン６３〜６６が覆い隠されて自動注出操作ボタン６１と注出停止ボタン６２以外は操作不能な状態となっており、また、表示部６７もカバー６８により覆い隠されている。この状態で、先ず上段の受台３２ａにグラスを載置する。上段の受台３２ａが傾動基板３１から前方に突出しているときには、上段の受台３２ａの側部の磁石３４が検知器３３から離間しており、検知器３３は上段の受台３２ａが使用状態であることの検知であるオフ信号を制御装置５０に出力している。
【００２５】
操作パネル６０の自動注出操作ボタン６１をオン操作すると、制御装置５０は、受台傾動装置４０により容器受台装置３０の傾動基板３１の後面を押動して前方に押し出す。傾動基板３１は傾斜姿勢になり、受台３２ａに載置したグラスは傾動基板３１とともに傾斜して傾斜姿勢となる。制御装置５０は、コック駆動装置２４によりグラスに対応した時間で操作レバー２２を前方に傾動させる。注出コック２０の弁機構部２１ａはグラスに対応した時間で液用に開放され、液用の注出ノズル２３ｂから傾斜させたグラスに液状態のビールが注出される。
【００２６】
液状態のビールを注出すると、制御装置５０は、コック駆動装置２４により操作レバー２２を中立位置に戻し、弁機構部２１ａを閉止状態とすることで、注出コック２０からビールの注出を停止させるとともに、受台傾動装置４０による傾動基板３１の傾斜姿勢を起立姿勢に戻すことで、受台３２ａに載置したグラスを起立姿勢に戻す。次に、制御装置５０は、コック駆動装置２４によりグラスに対応した時間で操作レバー２２を後方に傾動させる。注出コック２０の弁機構部２１ａはグラスに対応した時間で泡用に開放され、泡用の注出ノズル２３ａからグラスに泡状態のビールが注出される。グラスに対応した時間での泡状態のビールの注出が終了すると、制御装置５０は、コック駆動装置２４により操作レバー２２を中立位置に戻し、注出コック２０の弁機構部２１ａを再び閉止状態として、ビールの自動注出を終了する。
【００２７】
上述したように、自動注出操作ボタン６１をオン操作して、注出コック２０からグラスにビールを自動注出しているときに、注出停止ボタン６２をオン操作すると、制御装置５０は、コック駆動装置２４により操作レバー２２を中立位置に戻し、注出コック２０の弁機構部２１ａを閉止状態とするとともに、受台傾動装置４０による傾動基板３１の傾斜姿勢を起立姿勢に戻して、注出コック２０からグラスへのビールの自動注出を停止させる。
【００２８】
ビールの自動注出が適切に実行されているときには泡注出ボタン６５と液注出ボタン６６とを使用する必要がないが、グラスに液状態のビールが不足しているときには、カバー６８を開放させて、液注出ボタン（非自動注出操作ボタン）６６をオン操作した時間だけコック駆動装置２４により操作レバー２２を前傾させて、注出コック２０の液用の注出ノズル２３ｂからグラスに液状態のビールを追加で注出させることができる。また、グラスに泡状態のビールが不足しているときには、泡注出ボタン（非自動注出操作ボタン）６５をオン操作した時間だけコック駆動装置２４により操作レバー２２を後傾させて、注出コック２０の泡用の注出ノズル２３ａからグラスに泡状態のビールを追加で注出させることができる。
【００２９】
また、ビールの自動注出の注出条件を設定するときには、この実施形態では、自動注出操作ボタン６１を長押しすると、自動注出操作ボタン６１のオン操作が入力されない自動注出条件設定モードに代わる。注出条件設定モードとしたときには、カバー６８を開放させて、切替ボタン（注出条件設定ボタン）６３と設定ボタン（注出条件設定ボタン）６４とをオン操作して（必要に応じて泡注出ボタン６５と液注出ボタン６６もオン操作させて）、飲料を自動注出するときの注出条件を設定する。注出条件を設定完了した後で、自動注出操作ボタン６１を再び長押しすると、注出条件設定モードが完了し、自動注出操作ボタン６１のオン操作が入力されるようになる。
【００３０】
上記のように構成した飲料自動注出装置１０においては、操作パネル６０には、注出コック２０からグラス等の容器に所定量のビールを自動注出する自動注出操作ボタン６１以外に、注出コック２０からグラス等の容器にビールを注出するときの注出条件を設定する注出条件設定ボタン６３，６４と、操作に応じた量で注出コック２０からグラス等の容器にビールを注出させる非自動（マニュアル）注出操作ボタン６５，６６とを有している。操作パネル６０には注出条件設定ボタン６３，６４と非自動注出操作ボタン６５，６６を操作不能な状態で覆い隠すカバー６８を開閉可能に設けた。飲食店の客にビールを提供する通常の使用時には、飲食店の店員等のオペレータはカバー６８を開放することなく自動注出操作ボタン６１をオン操作することができ、操作パネル６０に注出条件設定ボタン６３，６４と非自動注出操作ボタン６５，６６を覆い隠すカバー６８を設けても、操作パネル６０の操作性が低下することがない。
【００３１】
また、飲食店の客にビールを提供する通常の使用持以外に使用する、注出条件を設定する注出条件設定ボタン６３，６４と、操作に応じた量でビールを注出させる非自動注出操作ボタン６５，６６とが開閉可能なカバー６８により覆い隠されているので、オペレータが自動注出操作ボタン６１と注出停止ボタン６２以外の操作ボタン６３〜６６を誤操作する可能性を低くすることができた。なお、この実施形態では、注出条件設定ボタン６３，６４、非自動注出操作ボタン６５，６６の両方をカバー６８により覆い隠すようにしたが、本発明はこれに限られるものでなく、注出条件設定ボタン６３，６４または非自動注出操作ボタン６５，６６をカバー６８により覆い隠すようにしたものであってもよい。また、カバー６８は操作パネル６０の上部に上端部を水平軸線回りに回動可能に取り付けられることで開閉自在となっているが、本発明はこれに限られるものでなく、カバー６８を操作パネル６０に対して上下または左右にスライド移動可能に取り付けることで開閉自在としてもよいし、カバー６８操作パネル６０に着脱可能に取り付けるようにしてもよい。
【００３２】
また、操作パネル６０には注出条件設定ボタン６３，６４による注出条件を表示する表示部６７を設けて、この表示部６７をカバー６８により覆われる位置に配置している。また、操作パネル６０には表示部６７を注出条件設定ボタン６３，６４より上側に配置している。これにより、注出条件設定ボタン６３，６４（必要に応じて泡及び液注出ボタン６５，６６））を手指によりオン操作して注出条件を入力しているときに、表示部６７が操作してる手によって隠れないようになり、表示部６７で確認しながら注出条件の入力をすることができるようになった。
【００３３】
上記のように構成した飲料自動注出装置１０においては、飲料としてビールを注出するもので説明したが、本発明はこれに限られるものでなく、発泡酒、酎ハイ、炭酸飲料、ソフトドリンク等の他の飲料に適用できるものであり、これらの飲料を注出するものであっても上述したのと同様の作用効果を得ることができる。
【００３４】
上記のように構成した飲料自動注出装置１０においては、容器としてグラスを用いて説明したが、本発明はこれに限られるものでなく、容器としてジョッキ等を用いたものであってもよい。容器としてジョッキを用いたときには、上側の受台３２ａを退避位置に退避させて、下側の受台３２ｂにジョッキを載置させるのが好ましい。
【００３５】
上記のように構成した飲料自動注出装置１０においては、コック駆動装置（コック操作装置）２４は、操作レバー２２によって閉止状態から液用開放状態または泡用開放状態に操作することで、注出コック２０の本体部２１に内蔵した弁機構部２１ａを液状態または泡状態のビールが注出されるように操作したものである。本発明はこれに限られるものでなく、例えば、注出コック２０に設けた電磁弁等の開閉弁を開閉操作するものであってもよい。この場合には、液用の開閉弁と泡用の開閉弁を別々に設け、各々の開閉弁を開閉動作させることによって、液状態と泡状態の発泡性飲料を選択的に注出できるようにする。
【００３６】
上記のように構成した飲料自動注出装置１０においては、注出ノズル２３は泡用の注出ノズル２３ａと液用の注出ノズル２３ｂとからなるが、本発明はこれに限られるものでなく、１つの注出ノズル２３から液状態及び泡状態の発泡性飲料を注出するようにしたものであってもよく、このようにしたときにも上述したのと同様の作用効果を得ることができる。また、ソフトドリンクのように発泡性のない飲料を注出するときであれば、注出ノズル２３の弁機構部２１ａを液用にのみ開放させるようするのが好ましい。
【００３７】
上記のように構成した飲料自動注出装置１０においては、受台傾動装置４０により容器受台装置３０の傾動基板３１を起立姿勢から傾斜姿勢とすることで、受台３２に載置した容器を起立姿勢から傾斜姿勢に傾斜させて、注出コック２０から飲料を自動注出するようにしたが、本発明はこれに限られるものでなく、受台３２に載置した容器を傾斜姿勢に傾斜させることなく、注出コックから飲料を自動注出するようにしたものであってもよい。
【符号の説明】
【００３８】
１０…飲料自動注出装置、１１…装置本体、２０…注出コック、２１ａ…弁機構部、２４…コック操作装置（コック駆動装置）、５０…制御装置、６０…操作パネル、６１…自動注出操作ボタン、６３…注出条件設定ボタン（切替ボタン）、６４…注出条件設定ボタン（設定ボタン）、６５…非自動注出操作ボタン（泡注出ボタン）、６６…液注出ボタン（非自動注出操作ボタン）、６７…表示部、６８…カバー。
【図１】
0006564232.tif 000002
【図２】
0006564232.tif 000003
【図３】
0006564232.tif 000004